(57)【特許請求の範囲】
【請求項１】
画像情報を表示する表示画面を有する表示部と、該表示部を支持する支持手段を備える表示装置であって、
前記支持手段は、
前記表示装置が設置される床面と当接する基台部と、
前記表示装置を壁面に立て掛ける際に該壁面と当接する壁面支持部と、
前記基台部と前記壁面支持部とを連結する一対の支柱部と、
前記一対の支柱部に対して略垂直となるように連結され、前記表示部を回動自在に軸支する支持軸部と、
を備えることを特徴とする表示装置。
【請求項２】
前記基台部の前記床面との当接部および前記壁面支持部の前記壁面との当接部には、それぞれの当接面に対して滑るのを防止する滑り止め部材が装着されていることを特徴とする請求項１に記載の表示装置。
【請求項３】
前記基台部には、前記支柱部を傾斜支持状態から直立支持状態への切り換えを自在に実行する支持状態切換手段を備えることを特徴とする請求項１または２に記載の表示装置。
【請求項４】
前記基台部には、前記表示装置を移動させる際には、前記床面に当接し、前記表示装置を前記床面に対して設置する際には、前記床面から離間する移動用車輪が前記床面に対して接離切換可能に設けられていることを特徴とする請求項１〜３の何れか１項に記載の表示装置。
【請求項５】
前記支柱部は、前記基台部によって傾斜支持されており、前記支持手段には、前記表示装置の転倒を防止するための転倒防止脚が前記支柱部に対して、回動自在に軸支されるように設けられることを特徴とする請求項１または２に記載の表示装置。
【請求項６】
前記支持手段には、前記表示部が前記壁面から離間するように、前記表示部を前記支柱部に対して所定の角度を回動させてから、前記表示部を該所定の角度を維持した状態で固定する表示部固定部材を備えることを特徴とする請求項５に記載の表示装置。
【発明の詳細な説明】
【技術分野】
【０００１】
本発明は、液晶表示ディスプレイやプラズマディスプレイ等の表示画面を有する表示部を備える表示装置に関し、特に、表示部を支える支持手段の構成に関する。
【背景技術】
【０００２】
液晶表示ディスプレイやプラズマディスプレイ等の表示画面を有する表示部がスタンド等の支持手段によって支えられている表示装置として、最近では、当該表示部として大型ＬＣＤ等の大型化したものが普及している。表示部の大型化に伴い、当該表示部を支えるスタンド等の支持手段への負担も大きくなり、当該大型化した表示部を支えられずに、表示装置が転倒する虞も増大した。
【０００３】
このため、表示装置の表示部が大型化しても、表示装置の転倒を未然に防ぐために、支持手段となるスタンドとして、支持部のベースとスタンド固定金具で固定台を上下に挟みこんで支柱部を固定台の後端寄りに位置させて固定台に固定することによって、表示部を固定台の後端寄り位置で支持するものでありながら、転倒防止機能を良好としたものが特許文献１に開示されている。
【特許文献１】特開２００６−６４７５７号公報
【発明の開示】
【発明が解決しようとする課題】
【０００４】
しかしながら、特許文献１に開示されているような、大型ＬＣＤを設置するスタンドの構造については、表示装置の前後方向に重心位置を設置部材の端縁寄り位置させて、常に転倒防止に十分な機能を有しているものの、転倒を防止するためには、支持部のベースとなる脚部を大きく張り出す必要があり、表示装置の設置面積が大きくなり、表示装置の設置面積の省スペース化が十分に図られていなかった。特に、大型ＬＣＤの表示装置を設置する際には、ＬＣＤを安定的に設置できる設置面積の確保が困難であるということが課題となっていた。
【０００５】
そこで、本発明は、従来の表示装置に備わる表示部を支える支持手段が有する上記問題点に鑑みてなされたものであり、本発明の目的は、表示部が大型化しても、表示装置の設置面積の省スペース化を図った上で設置した際の安定性の確保の可能な、新規かつ改良された表示装置を提供することである。
【課題を解決するための手段】
【０００６】
上記課題を解決するために、本発明のある実施の態様によれば、画像情報を表示する表示画面を有する表示部と、この表示部を支持する支持手段を備える表示装置であって、支持手段は、表示装置が設置される床面と当接する基台部と、表示装置を壁面に立て掛ける際に当該壁面と当接する壁面支持部と、基台部と壁面支持部とを連結する一対の支柱部と、前記一対の支柱部に対して略垂直となるように連結され、表示部を回動自在に軸支する支持軸部と、を備えることを特徴とする表示装置が提供される。
【０００７】
このような構成とすることにより、支持軸部に回動自在に軸支された表示部が壁面側に向かって移動するので、表示部の重心が床面、壁面、支柱部を結ぶ三角形の内側に位置するようになる。このため、基台部と壁面支持部との略中間付近に重心が位置するようになるので、表示装置を壁面に立て掛けるように設置した際の安定性が向上するようになる。また、表示部が大型化しても、壁面に立て掛けるようにして表示装置を安定した状態で設置可能となるので、設置面積を省スペース化した上で大型化した表示部の安定的な設置が出来るようになる。
【０００８】
このとき、上記実施の態様において、基台部の床面との当接部および壁面支持部の壁面との当接部には、それぞれの当接面に対して滑るのを防止する滑り止め部材が装着されていることとしてもよい。
【０００９】
このように、基台部の床面との接触部、壁面支持部の壁面との接触部に、ゴム等の滑り止め部材を設けることによって、表示装置全体が滑って、ずれ落ちることが抑制されるので、表示装置を壁面に立て掛けながら、壁面と床面で安定して支持されるようになる。
【００１０】
このとき、上記実施の態様において、基台部には、支柱部を傾斜支持状態から直立支持状態への切り換えを自在に実行する支持状態切換手段を備えることとしてもよい。
【００１１】
このような構成とすることにより、表示装置を設置する際には、壁面に立て掛けるように支持手段の支柱部を傾斜支持状態に切り換えて、省スペースでも表示部の設置の安定性を確保し、表示装置を移動させる際には、当該支柱部を傾斜支持状態から直立支持状態へ切り換えることによって、表示装置を安定した状態での移動を可能とすることが容易に切り換えて実行することが出来るようになる。
【００１２】
このとき、上記実施の態様において、基台部には、表示装置を移動させる際には、床面に当接し、表示装置を床面に対して設置する際には、床面から離間する移動用車輪が床面に対して接離切換可能に設けられていることとしてもよい。
【００１３】
このような構成とすることにより、表示装置を移動させる際には、移動用車輪となるキャスターを床面に当接するように移動させて、表示装置の移動を容易にし、表示装置を設置する際には、キャスターを床面から離間するように移動させて、表示装置が移動しないような状態にする切り換えを容易に実行することが出来るようになる。
【００１４】
このとき、上記実施の態様において、支柱部は、基台部によって傾斜支持されており、支持手段には、表示装置の転倒を防止するための転倒防止脚が支柱部に対して、回動自在に軸支されるように設けられることとしてもよい。
【００１５】
このような構成とすることにより、表示装置を移動させる際における表示装置の転倒を転倒防止脚によって、事前に防止することが出来るようになる。
【００１６】
このとき、上記実施の態様において、支持手段には、表示部が壁面から離間するように、表示部を支柱部に対して所定の角度を回動させてから、表示部を所定の角度を維持した状態で固定する表示部固定部材を備えることとしてもよい。
【００１７】
このような構成とすることにより、表示装置を移動させる際に、装置全体の重心が基台の中心になるように、表示部を回動させてから固定することが出来るので、壁面から壁面支持部を離間させて、壁に立て掛けた状態でない場合でも、表示装置が転倒し難い状態となる。このため、設置面積を省スペース化すると共に移動中の転倒を防止することができる。
【発明の効果】
【００１８】
以上説明したように本発明によれば、ＬＣＤ等の表示部の重心を壁側に移動可能となるので、表示部が大型化した場合でも、表示装置の設置面積を省スペース化した上で安定的な設置が出来るようになる。このため、表示装置の設置に必要な面積を小さくすることができ、設置面積の確保が容易になる。
【発明を実施するための最良の形態】
【００１９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２０】
（第１の実施の形態）
まず、本発明の表示装置の第１の実施の形態の構成について、図面を参照しながら説明する。図１は、本実施の形態の表示装置の全体の概要構成図であり、（ａ）は、正面図、（ｂ）は、側面図である。表示装置１００は、大型ＬＣＤ等の表示画面１０２ａを有する表示部１０２と、この表示部１０２を支持する支持手段となる表示部支持体１０４を備える。
【００２１】
表示部支持体１０４は、図１（ａ）に示すように、表示装置１００が設置される床面Ｇ１と当接して、装置重量を支持する基台部１０６と、表示装置１００を壁面Ｗ１に立て掛けた際に、当該壁面Ｗ１と当接する壁面支持部１０８と、基台部１０６と壁面支持部１０８とを連結する１対の支柱部１１０と、これらの支柱部１１０に対して略垂直となるように連結され、表示部１０２を回動自在に軸支する支持軸部１１２と、を備える。
【００２２】
本実施の形態では、支柱部１１０は、図１（ｂ）に示すように、基台部１０６から斜め上方向に延出するようにして、当該基台部１０６に対し、固定されて設けられている。このため、表示装置１００は、壁面Ｗ１に立て掛けるようにして設置される構成となる。
【００２３】
支持軸部１１２は、これら一対の支柱部１１０に対して略垂直となるように、当該支柱部１１０の間に連結されて架け渡された軸部材１１２ａと、この軸部材１１２ａに回動自在に嵌る円筒部材１１２ｂから構成され、ヒンジ形状となって表示部１０２を回動自在に軸支する。このため、表示装置１００は、壁面Ｗ１に立て掛けるようにして設置されて、表示部１０２が支持軸部１１２に回動自在に軸支されるため、表示部１０２の自重によって、床面Ｇ１に対して略垂直な状態で支持されるようになる。
【００２４】
基台部１０６の床面Ｇ１との当接部、および壁面支持部１０８の壁面Ｗ１との当接部には、図１（ｂ）に示すように、それぞれの当接面Ｇ１、Ｗ１に対して滑るのを防止するために、摩擦係数の大きいゴム等の材質からなる滑り止め部材１０７、１０９が各々装着されている。このため、表示装置１００の全体が滑って、ずれ落ちることが抑制されるので、表示装置１００を壁面Ｗ１に立て掛けながら、壁面Ｗ１と床面Ｇ１で安定して支持されるようになる。特に、壁面支持部１０８の壁面Ｗ１との当接部に装着される滑り止め部材１０９は、表示部１０２が大型化しても設置安定性の確保を実現するために、例えば、吸盤や鋲等のように、壁面Ｗ１に対して、より確実かつ強固に滑らないようにする部材で構成されることとしても良い。
【００２５】
本実施の形態の表示装置１００を上記の構成とすることにより、図１（ｂ）に示すように、支持軸部１１２に回動自在に軸支された表示部１０２が壁面Ｗ１側に向かって移動するので、表示部１０２の重心Ｇ１０２が床面Ｇ１、壁面Ｗ１、支柱部１１０を結ぶ三角形の内側に位置するようになる。このため、基台部１０６と壁面支持部１０８との略中間付近に重心Ｇ１０２が位置するようになるので、表示装置１００を壁面Ｗ１に立て掛けるように設置した際の安定性が向上するようになる。
【００２６】
また、表示装置１００を壁面Ｗ１に立て掛けられる構成として、支持軸部１１２によって表示部１０２を壁面側に移動可能とすることにより、表示部１０２の重心Ｇ１０２が壁面側に移動して、支持軸部１１２が無い装置と比較して、壁面Ｗ１に立て掛けられるようにすることが出来、安定性を向上させられる。このため、表示部１０２が大型化した場合でも、表示装置１００を安定した状態で設置可能となるので、設置面積を省スペース化した上で大型化した表示部１０２の安定的な設置が出来るようになり、表示装置１００を設置するスペースの確保が容易になる。
【００２７】
次に、本実施の形態の表示装置の回路構成の概略について、図面を使用しながら説明する。図２は、本実施の形態の表示装置の全体の回路構成を示すブロック図である。
【００２８】
本実施の形態では、表示部１０２の表示画面１０２ａ側となる前面には、操作手段となるタッチパネル１０３が設けられている。当該表示部１０２では、このタッチパネル１０３のタッチ部分の座標を検出して、タッチ操作に基づいて、様々な情報を表示画面１０２ａに表示することが出来る。また、本実施の形態では、ＰＣ（ Personal Computer ）等の情報処理装置１２２が表示部１０２に接続され、表示部１０２で表示するための情報を出力する。この情報処理装置１２２によって、表示部１０２で出力された表示情報は、プリンタ１２４によって、印字出力されるように構成されている。
【００２９】
（第２の実施の形態）
次に、本発明の表示装置の第２の実施の形態の構成について、図面を参照しながら説明する。図３は、本実施の形態の表示装置の概要構成図を示す側面図であり、（ａ）は、壁面に立て掛けた状態を示し、（ｂ）は、移動用に表示部支持体を直立状態にした状態を示す。
【００３０】
本実施の形態の表示装置２００の全体の概要構成は、第１の実施の形態と略同一であるから、その説明は、省略する。また、本実施の形態の表示装置２００は、第１の実施の形態と同様に、表示部２０２が支持軸部２１２に回動自在に軸支されるため、表示部２０２の自重によって、床面Ｇ１に対して略垂直な状態で支持されるようになる。
【００３１】
本実施の形態の表示装置２００は、基台部２０６に支柱部２１０を傾斜支持状態から直立支持状態への切り換えを自在に実行する支持状態切換手段となる支持状態切換部２２０を備える点と、表示装置２００を移動させるための移動用車輪となるキャスター２１４が基台部２０６に設けられている点が第１の実施の形態と異なる。
【００３２】
本実施の形態の表示装置２００は、キャスター２１４が当該キャスター２１４を回動可能に支持するアーム２１６を介して基台部２０６に設けられている。アーム２１６は、キャスター２１４を設置する側と反対側の端部を中心に回動可能な構成となっているので、基台部２０６に対して上下に移動可能に支持されており、キャスター２１４を床面Ｇ１に接離可能となるように構成されている。
【００３３】
このため、表示装置２００を移動させる際には、図３（ｂ）に示すように、キャスター２１４を床面Ｇ１に当接するように移動させて、表示装置２００の移動を容易にし、表示装置２００を設置する際には、図３（ａ）に示すように、キャスター２１４を床面Ｇ１から離間するように移動させて、表示装置２００が移動しないような状態にする。このように、基台部２０６にキャスター２１４を設けることによって、表示装置２００の移動可能状態と静止設置状態の切り換えを容易に実行出来るようになる。
【００３４】
また、本実施の形態では、基台部２０６には、支柱部２１０を傾斜支持状態から直立支持状態への切り換えを自在に実行する支持状態切換部２２０が備わる。当該支持状態切換部２２０によって、図３（ａ）に示すように、支柱部２１０を傾斜させて、壁面Ｗ１に立て掛けた状態が設置後の状態にしたり、図３（ｂ）に示すように、支柱部２１０を直立に支持した状態が表示装置２００を移動可能な状態にする切り換えが容易に実行されるようになる。
【００３５】
支持状態切換部２２０は、図４に示すように、回動軸２２２と回動軸支持部２２４と締結ネジ２２６から構成されている。本実施の形態では、回動軸２２２は、支柱部２１０に固定されて設けられ、基台部２０６に固定して設けられた回動軸支持部２２４に回動可能に支持されており、締結ネジ２２６によって、支柱部２１０を傾斜支持状態もしくは直立支持状態の何れかの状態に固定するように締結されるようになっている。
【００３６】
このように、支持状態切換部２２０を設けることによって、表示装置２００を設置する際には、壁面Ｗ１に立て掛けるように支柱部２１０を傾斜支持状態に切り換えて、省スペースでも大型化した表示部２０２の設置の安定性を確保する。また、表示装置２００を移動させる際には、当該支柱部２１０を傾斜支持状態から直立支持状態へ切り換えることによって、表示装置２００を安定した状態での移動を可能とすることが容易に切り換えられるようになる。
【００３７】
（第３の実施の形態）
次に、本発明の表示装置の第３の実施の形態の構成について、図面を参照しながら説明する。図５は、本発明の第３の実施の形態の表示装置の概要構成図を示す側面図であり、（ａ）は、壁面に立て掛けた状態を示し、（ｂ）は、表示装置を移動する際の表示装置の状態を示し、（ｃ）は、表示装置を移動する際に転倒防止脚を使用している状態を示す。
【００３８】
本実施の形態の表示装置３００の全体の概要構成は、第１の実施の形態と略同一であるから、その説明は、省略する。また、本実施の形態の表示装置３００は、第１の実施の形態と同様に、表示部３０２が支持軸部３１２に回動自在に軸支されるため、表示部３０２の自重によって、床面Ｇ１に対して略垂直な状態で支持されるようになる。
【００３９】
本実施の形態の表示装置３００は、支柱部３１０が傾斜支持状態の際に、表示装置３００の転倒を防止するための転倒防止脚３２０が支柱部３１０に対して、回動自在に軸支されるように設けられる点と、表示部３０２が壁面から離間するように、表示部３０２を支柱部３１０に対して所定の角度を回動させてから、表示部３０２を所定の角度を維持した状態で固定する表示部固定部材３３０を支柱部３１０に備える点が第１の実施の形態と異なる。
【００４０】
本実施の形態では、支柱部３１０は、第１の実施の形態と同様に、図５に示すように、基台部３０６によって傾斜支持されている。当該支柱部３１０には、表示装置３００の転倒を防止するための転倒防止脚３２０が支柱部３１０に対して、軸部３２１を中心に回動自在に軸支されるように設けられる。
【００４１】
転倒防止脚３２０は、表示装置３００の移動時に、外側に向けて大きく張り出すことによって、移動時の転倒を防止するものである。本実施の形態では、転倒防止脚３２０には、軸部３２１と反対側に位置する先端側に、表示装置３００を移動させる際の移動用車輪となるキャスター３２２が設けられている。転倒防止脚３２０は、上述したように、支柱部３１０に回動可能に軸支されており、表示装置３００の設置時は、図５（ａ）に示すように、転倒防止脚３２０が支柱部３１０と略平行な状態に固定されている。
【００４２】
本実施の形態では、表示装置３００の移動時は、壁面Ｗ１から離間させた際に、壁面Ｗ１に寄りかからなくとも転倒しない状態にするため、図５（ｂ）に示すように、装置全体の重心が基台部３０６の中心になるように、表示部３０２を壁面Ｗ１から離間する方向（図５に示すＡ方向）に所定の角度を回動させてから、支柱部３１０に回動自在に設けられた表示部固定手段となる表示部固定部材３３０によって固定される。
【００４３】
表示部固定部材３３０は、図５（ｂ）に示すように、留め板３３１と締結ネジ３３２から構成され、表示部３０２を支柱部３１０に対して所定の角度を維持するように固定する。この状態でキャスター３１４を床面Ｇ１に当接させてから、転倒防止脚３２０を広げられる程度に壁面Ｗ１から離間するまで一旦移動させる。
【００４４】
その後、図５（ｃ）に示すように、転倒防止脚３２０を図５（ｃ）における右回転方向（Ａ方向）に回転させて、表示装置３００の背面側にキャスター３２２が位置するように移動させる。このようにすることで、設置時の設置面積を小さくすると共に、移動中の転倒を防止することができる。
【００４５】
このように、本実施の形態では、表示装置３００を移動させる際に、装置全体の重心が基台の中心になるように、表示部３０２を回動させてから固定させることが出来るので、壁面Ｗ１から壁面支持部３０８を離間させて、壁面Ｗ１に立て掛けた状態でない場合でも、表示装置３００が転倒し難い状態とすることが可能となる。このため、表示装置３００の設置面積を省スペース化すると共に、移動中の転倒を防止することができる。
【００４６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４７】
例えば、上記の各実施の形態では、表示部の表示画面は、ＬＣＤからなるものについて、説明しているが、薄型かつ大型の表示画面を有する表示部を備える表示装置であれば、プラズマディスプレイ等の他の表示画面を有する表示部を表示部支持体等の支持手段で支持する表示装置にも、本発明を適用可能である。
【図面の簡単な説明】
【００４８】
【図１】本発明の第１の実施の形態の表示装置の全体の概要構成図であり、（ａ）は、正面図、（ｂ）は、側面図である。
【図２】同実施の形態の表示装置の全体の回路構成を示すブロック図である。
【図３】本発明の第２の実施の形態の表示装置の概要構成図を示す側面図であり、（ａ）は、壁面に立て掛けた状態を示し、（ｂ）は、移動用に表示部支持体を直立状態にした状態を示す。
【図４】同実施の形態の表示装置の基台部に備わる支柱部支持状態切換部の構成を説明するための側面図である。
【図５】本発明の第３の実施の形態の表示装置の概要構成図を示す側面図であり、（ａ）は、壁面に立て掛けた状態を示し、（ｂ）は、表示装置を移動する際の表示装置の状態を示し、（ｃ）は、表示装置を移動する際に転倒防止脚を使用している状態を示す。
【符号の説明】
【００４９】
１００      表示装置
１０２      表示部
１０２ａ    表示画面
１０４      支持手段（表示部支持体）
１０６      基台部
１０７      滑り止め部材
１０８      壁面支持部
１０９      滑り止め部材
１１０      支柱部
１１２      支持軸部
２１４      移動用車輪（キャスター）
２２０      支持状態切換手段（支持状態切換部）
３２０      転倒防止脚
３３０      表示部固定部材
Ｇ１        設置面（床面）
Ｗ１        壁面
【図１】
0005014900.tif 000002
【図２】
0005014900.tif 000003
【図３】
0005014900.tif 000004
【図４】
0005014900.tif 000005
【図５】
0005014900.tif 000006